(57)【要約】  ライセンスされていないスペクトル中でシステムスループットおよびスペクトル再使用を増加させるために、信号の送信電力を変化させる方法ならびに装置が開示されている。１つの方法は、第１の移動体デバイスと第２の移動体デバイスとの間のチャネル利得に基づく第１の送信データ電力レベルを有する送信要求（ＲＴＳ）信号を、第１の移動体デバイスから第２の移動体デバイスに送信することと、第２の移動体デバイスからの送信可（ＣＴＳ）信号を、第１の移動体デバイスにおいて受信することと、第１の送信データ電力レベルにおいて、第１の移動体デバイスから第２の移動体デバイスにデータを送信することとを含む。【選択図】    図１
2013520879.tif 000002
【特許請求の範囲】
【請求項１】
ライセンスされていないスペクトル中でシステムスループットを増加させる方法において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信することと、
前記第２の移動体デバイスからの第１の送信可（ＣＴＳ）信号を、前記第１の移動体デバイスにおいて受信することと、
前記第１の送信データ電力レベルにおいて、前記第１の移動体デバイスから前記第２の移動体デバイスにデータを送信することとを含み、
前記第１のＲＴＳ信号はレートオプションを含む方法。
【請求項２】
前記第１のＣＴＳ信号は前記レートオプションを含む請求項１記載の方法。
【請求項３】
前記データは、前記レートオプションにより決定されるレートにおいてエンコードされる請求項２記載の方法。
【請求項４】
第２の受信ＣＴＳ電力レベルを有する、前記第２の移動体デバイスからの前記第１のＣＴＳ信号を、第４の移動体デバイスにおいて受信することと、
第３の移動体デバイスからの第２のＣＴＳ信号を、前記第４の移動体デバイスにおいて受信することと、
前記第２の受信ＣＴＳ電力レベルの予め定められた関数に基づいて、データ信号を送信するか否かを、前記第４の移動体デバイスにおいて決定することとをさらに含み、
前記関数は前記レートオプションに依存する請求項１記載の方法。
【請求項５】
前記予め定められた関数は、前記第２の受信ＣＴＳ電力レベルと第２の送信データ電力レベルの積と、前記レートオプションによって決定されるしきい値とを比較する請求項４記載の方法。
【請求項６】
前記データ信号は、前記レートオプションにより決定されるレートにおいてエンコードされる請求項５記載の方法。
【請求項７】
ライセンスされていないスペクトル中でシステムスループットを増加させる方法において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信することと、
前記第２の移動体デバイスからの第１の送信可（ＣＴＳ）信号を、前記第１の移動体デバイスにおいて受信することと、
前記第１の送信データ電力レベルにおいて、前記第１の移動体デバイスから前記第２の移動体デバイスにデータを送信することとを含み、
前記第２の移動体デバイスは、前記第１の受信ＲＴＳ電力レベルを有する前記第１のＲＴＳ信号を受信し、
前記第２の移動体デバイスは、前記第１の受信ＲＴＳ電力レベルの関数である第１の送信ＣＴＳ電力レベルを有する前記第１のＣＴＳ信号を送信し、
前記関数は、前記第１の受信ＲＴＳ電力レベルに反比例することと、前記第１の受信ＲＴＳ電力レベルに応じて単調に減少すること、レートオプションに応じて単調に増加することとからなるグループから選択される方法。
【請求項８】
ライセンスされていないスペクトル中でシステムスループットを増加させる方法において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信することと、
前記第２の移動体デバイスからの第１の送信可（ＣＴＳ）信号を、前記第１の移動体デバイスにおいて受信することと、
前記第１の送信データ電力レベルにおいて、前記第１の移動体デバイスから前記第２の移動体デバイスにデータを送信することと、
第２の受信ＲＴＳ電力レベルを有する、前記第１の移動体デバイスからの前記第１のＲＴＳ信号を、第３の移動体デバイスにおいて受信することと、
第３の受信ＲＴＳ電力レベルを有する、第４の移動体デバイスからの第２のＲＴＳ信号を、前記第３の移動体デバイスにおいて受信することと、
前記第２の受信ＲＴＳ電力レベルと前記第３の受信ＲＴＳ電力レベルの予め定められた関数に基づいて、前記第４の移動体デバイスに第２のＣＴＳ信号を送信するか否かを、前記第３の移動体デバイスにおいて決定することとを含み、
前記第２のＲＴＳ信号は、レートオプションを含み、
前記第２の受信ＲＴＳ電力レベルと、前記第３の受信ＲＴＳ電力レベルの予め定められた関数は、前記レートオプションに依存する方法。
【請求項９】
前記予め定められた関数は、前記第２の受信ＣＴＳ電力レベルと第２の送信データ電力レベルの積と、前記レートオプションにより決定されるしきい値とを比較する請求項８記載の方法。
【請求項１０】
ライセンスされていないスペクトル中でシステムスループットを増加させる装置において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信するようにと、
前記第１の送信データ電力レベルにおいて、前記第１の移動体デバイスから前記第２の移動体デバイスにデータを送信するように適合されている送信機と、
前記第２の移動体デバイスからの第１の送信可（ＣＴＳ）信号を、前記第１の移動体デバイスにおいて受信するように適合されている受信機とを具備し、
前記第１のＲＴＳ信号はレートオプションを含む装置。
【請求項１１】
前記第１のＣＴＳ信号は前記レートオプションを含む請求項１０記載の装置。
【請求項１２】
前記データは、前記レートオプションにより決定されるレートにおいてエンコードされる請求項１１記載の装置。
【請求項１３】
前記受信機は、
第２の受信ＣＴＳ電力レベルを有する、前記第２の移動体デバイスからの前記第１のＣＴＳ信号を、第４の移動体デバイスにおいて受信するようにと、
第３の移動体デバイスからの第２のＣＴＳ信号を、前記第４の移動体デバイスにおいて受信するようにと、
前記第２の受信ＣＴＳ電力レベルの予め定められた関数に基づいて、データ信号を送信するか否かを、前記第４の移動体デバイスにおいて決定するようにさらに適合され、
前記関数は前記レートオプションに依存する請求項１０記載の装置。
【請求項１４】
前記予め定められた関数は、前記第２の受信ＣＴＳ電力レベルと第２の送信データ電力レベルの積と、前記レートオプションにより決定されるしきい値とを比較する請求項１３記載の装置。
【請求項１５】
データ信号は、前記レートオプションにより決定されるレートにおいてエンコードされる請求項１４記載の装置。
【請求項１６】
ライセンスされていないスペクトル中でシステムスループットを増加させる装置において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信するようにと、
前記第１の送信データ電力レベルにおいて、前記第１の移動体デバイスから前記第２の移動体デバイスにデータを送信するように適合されている送信機と、
前記第２の移動体デバイスからの第１の送信可（ＣＴＳ）信号を、前記第１の移動体デバイスにおいて受信するように適合されている受信機とを具備し、
前記第２の移動体デバイスは、前記第１の受信ＲＴＳ電力レベルを有する第１のＲＴＳ信号を受信し、
前記第２の移動体デバイスは、前記第１の受信ＲＴＳ電力レベルの関数である第１の送信ＣＴＳ電力レベルを有する前記第１のＣＴＳ信号を送信し、
前記関数は、前記第１の受信ＲＴＳ電力レベルに反比例することと、前記第１の受信ＲＴＳ電力レベルに応じて単調に減少することと、前記レートオプションに応じて単調に増加することとからなるグループから選択される装置。
【請求項１７】
ライセンスされていないスペクトル中でシステムスループットを増加させる装置において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信するようにと、
前記第１の送信データ電力レベルにおいて、前記第１の移動体デバイスから前記第２の移動体デバイスにデータを送信するように適合されている送信機と、
前記第２の移動体デバイスからの第１の送信可（ＣＴＳ）信号を、前記第１の移動体デバイスにおいて受信するように適合されている第１の受信機と、
第２の受信ＲＴＳ電力レベルを有する、前記第１の移動体デバイスからの前記第１のＲＴＳ信号を、第３の移動体デバイスにおいて受信するようにと、
第３の受信ＲＴＳ電力レベルを有する、第４の移動体デバイスからの第２のＲＴＳ信号を、前記第３の移動体デバイスにおいて受信するように適合されている第２の受信機と、
前記第２の受信ＲＴＳ電力レベルと前記第３の受信ＲＴＳ電力レベルの予め定められた関数に基づいて、前記第４の移動体デバイスに第２のＣＴＳ信号を送信するか否かを、前記第３の移動体デバイスにおいて決定するように適合されているプロセッサとを具備し、
前記第２のＲＴＳ信号は、レートオプションを含み、
前記第２の受信ＲＴＳ電力レベルと、前記第３の受信ＲＴＳ電力レベルの予め定められた関数は、前記レートオプションに依存する装置。
【請求項１８】
前記予め定められた関数は、前記第２の受信ＣＴＳ電力レベルと第２の送信データ電力レベルの積と、前記レートオプションにより決定されるしきい値とを比較する請求項１７記載の方法。
【請求項１９】
ライセンスされていないスペクトル中でシステムスループットを増加させる装置において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信する手段と、
前記第２の移動体デバイスからの第１の送信可（ＣＴＳ）信号を、前記第１の移動体デバイスにおいて受信する手段と、
前記第１の送信データ電力レベルにおいて、前記第１の移動体デバイスから前記第２の移動体デバイスにデータを送信する手段とを具備し、
前記第１のＲＴＳ信号はレートオプションを含む装置。
【請求項２０】
前記第１のＣＴＳ信号は前記レートオプションを含む請求項１９記載の装置。
【請求項２１】
前記データは、前記レートオプションにより決定されるレートにおいてエンコードされる請求項２０記載の装置。
【請求項２２】
第２の受信ＣＴＳ電力レベルを有する、前記第２の移動体デバイスからの前記第１のＣＴＳ信号を、第４の移動体デバイスにおいて受信する手段と、
第３の移動体デバイスからの第２のＣＴＳ信号を、前記第４の移動体デバイスにおいて受信する手段と、
第２の受信ＣＴＳ電力レベルの予め定められた関数に基づいて、データ信号を送信するか否かを、前記第４の移動体デバイスにおいて決定する手段とをさらに具備し、
前記関数は前記レートオプションに依存する請求項１９記載の装置。
【請求項２３】
前記予め定められた関数は、前記第２の受信ＣＴＳ電力レベルと第２の送信データ電力レベルの積と、前記レートオプションにより決定されるしきい値とを比較する請求項２２記載の装置。
【請求項２４】
データ信号は、前記レートオプションにより決定されるレートにおいてエンコードされる請求項２３記載の装置。
【請求項２５】
ライセンスされていないスペクトル中でシステムスループットを増加させる装置において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信する手段と、
前記第２の移動体デバイスからの第１の送信可（ＣＴＳ）信号を、前記第１の移動体デバイスにおいて受信する手段と、
前記第１の送信データ電力レベルにおいて、前記第１の移動体デバイスから前記第２の移動体デバイスにデータを送信する手段とを具備し、
前記第２の移動体デバイスは、前記第１の受信ＲＴＳ電力レベルを有する前記第１のＲＴＳ信号を受信し、
前記第２の移動体デバイスは、前記第１の受信ＲＴＳ電力レベルの関数である第１の送信ＣＴＳ電力レベルを有する前記第１のＣＴＳ信号を送信し、
前記関数は、前記第１の受信ＲＴＳ電力レベルに反比例することと、前記第１の受信ＲＴＳ電力レベルに応じて単調に減少することと、レートオプションに応じて単調に増加することとからなるグループから選択される装置。
【請求項２６】
ライセンスされていないスペクトル中でシステムスループットを増加させる装置において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信する手段と、
前記第２の移動体デバイスからの第１の送信可（ＣＴＳ）信号を、前記第１の移動体デバイスにおいて受信する手段と、
前記第１の送信データ電力レベルにおいて、前記第１の移動体デバイスから前記第２の移動体デバイスにデータを送信する手段と、
第２の受信ＲＴＳ電力レベルを有する、前記第１の移動体デバイスからの前記第１のＲＴＳ信号を、第３の移動体デバイスにおいて受信する手段と、
第３の受信ＲＴＳ電力レベルを有する、第４の移動体デバイスからの第２のＲＴＳ信号を、前記第３の移動体デバイスにおいて受信する手段と、
前記第２の受信ＲＴＳ電力レベルと前記第３の受信ＲＴＳ電力レベルの予め定められた関数に基づいて、前記第４の移動体デバイスに第２のＣＴＳ信号を送信するか否かを、前記第３の移動体デバイスにおいて決定する手段とを具備し、
前記第２のＲＴＳ信号は、レートオプションを含み、
前記第２の受信ＲＴＳ電力レベルと、前記第３の受信ＲＴＳ電力レベルの予め定められた関数は、前記レートオプションに依存する装置。
【請求項２７】
前記予め定められた関数は、前記第２の受信ＣＴＳ電力レベルと第２の送信データ電力レベルの積と、前記レートオプションにより決定されるしきい値とを比較する請求項２６記載の方法。
【請求項２８】
ライセンスされていないスペクトル中でシステムスループットを増加させるための命令を有する有体的媒体上に記録されているコンピュータプログラムにおいて、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信するための命令と、
前記第２の移動体デバイスからの第１の送信可（ＣＴＳ）信号を、前記第１の移動体デバイスにおいて受信するための命令と、
前記第１の送信データ電力レベルにおいて、前記第１の移動体デバイスから前記第２の移動体デバイスにデータを送信するための命令とを含み、
前記第１のＲＴＳ信号はレートオプションを含むコンピュータプログラム。
【発明の詳細な説明】
【分野】
【０００１】
本発明は、ワイヤレス通信に関する。さらに詳細には、本発明は、ワイヤレス通信中で、信号の送信電力をスケーリングするための方法および装置に関する。
【背景】
【０００２】
ワイヤレス通信は、需要が増大し続けており、個人的な通信とビジネスでの通信の双方の欠くことのできない部分になっている。ワイヤレス通信により、ユーザは、ワイヤレスネットワークと、ラップトップ、セルラデバイス、ｉＰｈｏｎｅ（登録商標）、ＢｌａｃｋＢｅｒｒｙ（登録商標）等のようなワイヤレスデバイスとを使用して、ほとんどどこからでもデータを送受信できるようになる。
【０００３】
ワイヤレスファイデリティ（ＷｉＦｉ（登録商標））は、ワイヤレスローカルエリアネットワーク（ＬＡＮ）に対して米国電気電子学会（ＩＥＥＥ）により開発された規格に準拠したワイヤレスネットワークを説明する。ＷｉＦｉデバイスは、ＩＥＥＥの８０２．１１標準規格を使用する他の認証されているＷｉＦｉデバイスと相互運用可能であるように認証されている。これらのＷｉＦｉデバイスは、データ転送を促進するワイヤレスネットワークを生成させるために、無線インターフェースを可能にする。
【０００４】
ＷｉＦｉは、搬送波感知多重アクセス衝突検出方式（ＣＳＭＡ／ＣＡ）を、または、送信要求（ＲＴＳ）／送信可（ＣＴＳ）シグナリングを使用して、ピアツーピア送信の分散型スケジューリングを実行する。例えば、ノードが信号を送信する前に、ノードは、ＣＳＭＡを介して通信チャネルをリスニングして、通信チャネルが利用可能であるか、または、利用不可であるかを決定する。通信チャネルが利用可能である場合に、送信ノードは、受信ノードにＲＴＳ信号を送信する。同様に、通信チャネルが利用可能であることを受信ノードが検出した場合に、受信ノードは、ＣＴＳ信号を送信する。通信チャネルが利用不可である場合に、ノードは、通信チャネルが利用可能になるまで送信を待つ。したがって、ネットワークを使用するノードの数が増えるにつれて、送信遅延が増加する。
【０００５】
加えて、ＷｉＦｉの非同期性質は、遅延と、ノードの電力効率性とにさらに影響を及ぼす。すなわち、ＷｉＦｉを使用する送受信は、同期しておらず、むしろ、非同期的な方法で実行される。例えば、ＷｉＦｉ送信機は、ランダムな時間において、ＷｉＦｉ受信機と通信しようとしてもよく、ＷｉＦｉ受信機がランダムな時間において通信する準備ができていない場合には、または、ＷｉＦｉ受信機が、そのＷｉＦｉ受信機と通信しようとしている他のＷｉＦｉ送信機に囲まれている場合には、ＷｉＦｉ受信機は、データを正しく受信することができず、これらのケースにおいて、ＷｉＦｉ送信機がバックオフして、後の時間（例えば、１０ミリ秒後）に送信することを決めてもよい。この例は、ＷｉＦｉ通信における固有の遅延を説明している。さらに、ＷｉＦｉ送信機およびＷｉＦｉ受信機に対する電力非効率性もまた増加する。
【０００６】
それゆえ、ワイヤレス通信中で、信号の送信電力をスケーリングするための方法および装置に対する必要性があることが、当業者によって認識されている。
【概要】
【０００７】
ライセンスされていないスペクトル中でシステムスループットおよびスペクトル再使用を増加させるために、信号の送信電力を変化させる方法ならびに装置が開示されている。１つの方法は、第１の移動体デバイスと第２の移動体デバイスとの間のチャネル利得に基づく第１の送信データ電力レベルを有する送信要求（ＲＴＳ）信号を、第１の移動体デバイスから第２の移動体デバイスに送信することと、第２の移動体デバイスからの送信可（ＣＴＳ）信号を、第１の移動体デバイスにおいて受信することと、第１の送信データ電力レベルにおいて、第１の移動体デバイスから第２の移動体デバイスにデータを送信することとを含む。ＲＴＳ信号およびＣＴＳ信号は、データエンコーディングレートを示すレートオプションも含んでもよい。
【０００８】
ライセンスされていないスペクトル中でシステムスループットを増加させる装置が開示されている。装置は、第１の移動体デバイスと第２の移動体デバイスとの間のチャネル利得に基づく第１の送信データ電力レベルを有する第１の送信要求（ＲＴＳ）信号を、第１の移動体デバイスから第２の移動体デバイスに送信するようにと、第２の移動体デバイスからの第１の送信可（ＣＴＳ）信号を、第１の移動体デバイスにおいて受信するようにと、第１の送信データ電力レベルにおいて、第１の移動体デバイスから第２の移動体デバイスにデータを送信するように構成されているプロセッサを備えている。
【図面の簡単な説明】
【０００９】
図面とともに考察するときに、以下で述べる詳細な説明から、本発明の特徴、目的、および、利点が、さらに明らかとなろう。
【図１】図１は、さまざまな実施形態にしたがった、各ノードが送信の前にその信号の送信電力を調節できる、複数のノードを有するネットワークの簡略化されたブロックダイヤグラムである。
【図２】図２は、さまざまな実施形態にしたがった、到来信号の受信電力レベルを、または、さまざまなノード間のチャネルのチャネル利得を決定するようにと、関数または変数（例えば、受信電力レベルまたはチャネル利得）に基づいて、送出信号の送信電力レベルを調節するように構成されている、例示的なノードのブロックダイヤグラムである。
【図３】図３は、さまざまな実施形態にしたがった、ライセンスされていないスペクトルにおいて動作するノードを持つネットワークのシステムスループットを増加させる方法を図示したフローダイヤグラムである。
【図４】図４は、さまざまな実施形態にしたがった、ライセンスされていないスペクトルにおいて動作するノードを持つネットワークのシステムスループットを増加させる方法を図示したフローダイヤグラムである。
【図５】図５は、さまざまな実施形態にしたがった、ライセンスされていないスペクトルにおいて動作するノードを持つネットワークのシステムスループットを増加させる方法を図示したフローダイヤグラムである。
【図６】図６は、さまざまな実施形態にしたがった、ライセンスされていないスペクトルにおいて動作するノードを持つネットワークのシステムスループットを増加させる方法を図示したフローダイヤグラムである。
【図７】図７は、さまざまな実施形態にしたがった、ライセンスされていないスペクトル中でシステムスループットおよびスペクトル再使用を増加させるための、装置に対する例示的なコンポーネントと、装置に対する手段とを図示したブロックダイヤグラムである。
【図８】図８は、さまざまな実施形態にしたがった、ライセンスされていないスペクトル中でシステムスループットおよびスペクトル再使用を増加させるための、装置に対する例示的なコンポーネントと、装置に対する手段とを図示したブロックダイヤグラムである。
【図９】図９は、さまざまな実施形態にしたがった、ライセンスされていないスペクトル中でシステムスループットおよびスペクトル再使用を増加させるための、装置に対する例示的なコンポーネントと、装置に対する手段とを図示したブロックダイヤグラムである。
【図１０】図１０は、さまざまな実施形態にしたがった、ライセンスされていないスペクトル中でシステムスループットおよびスペクトル再使用を増加させるための、装置に対する例示的なコンポーネントと、装置に対する手段とを図示したブロックダイヤグラムである。
【詳細な説明】
【００１０】
図面を参照して、本発明のさまざまな特徴の実施形態を実現する方法、装置、および、システムをここで説明する。図面および関係する説明は、本発明の実施形態を図示し、本発明の範囲を限定しないように提供されている。明細書中での“１つの実施形態”または“ある実施形態”に対する参照は、実施形態に関連して説明する特定の特徴、構造、または特性が、本発明の少なくともある実施形態に含まれることを示すように意図している。“１つの実施形態”または“ある実施形態”というフレーズが、明細書中のさまざまな場所に出現するが、必ずしも、すべてが同じ実施形態のことを指していない。図面全体を通して、参照するエレメント間の対応を示すために、参照番号を再使用する。加えて、各参照番号の最初の桁は、エレメントが最初に出現する図面を示している。
【００１１】
図１は、さまざまな実施形態にしたがった、各ノードが送信の前にその信号の送信電力を調節できる、複数のノード１０１、１０２、１０３、および、１０４を有するネットワーク１００の簡略化されたブロックダイヤグラムである。ライセンスされていないスペクトル中で、増加されたスループットおよびスペクトル再使用が可能になるように、ネットワーク１００が構成されている。さまざまな実施形態において、ネットワーク１００は、ＷｉＦｉネットワーク、ライセンスされていないネットワーク（すなわち、ライセンスされていないスペクトルにおいて動作するネットワーク）、ライセンスされているネットワーク（すなわち、ライセンスされているスペクトルにおいて動作するネットワーク）、および／または、搬送波感知多重アクセス衝突回避方式（ＣＳＭＡ／ＣＡ）ネットワークのような、１つ以上のネットワークを含むことができ、複数のノード１０１、１０２、１０３、および、１０４のそれぞれは、ＷｉＦｉデバイスまたはノードや、ライセンスされているスペクトルにおいておよび／またはライセンスされていないスペクトルにおいて動作するように構成されている移動体デバイスまたはワイヤレス通信デバイスや、ユーザや、あるいは、ライセンスされているスペクトルにおいておよび／またはライセンスされていないスペクトルにおいて動作するように構成されているホワイトスペースデバイス（ＷＳＤ）とすることができる。ＷＳＤは、オープンな周波数においてまたは使用されていない周波数において動作する、移動体デバイス、ラップトップコンピュータ、あるいは、他のポータブルデバイスとすることができる。例示の目的のために、本開示は、ライセンスされていないスペクトルにおいて動作するＷｉＦｉネットワークおよびＷｉＦｉノードを論じる。しかしながら、他のタイプのライセンスされているネットワークおよびノード、ならびに、他のタイプのライセンスされていないネットワークおよびノードも、本発明の範囲内にある。さらに、図１では４つのノード１０１、１０２、１０３、および、１０４が示されているが、ネットワーク１００は、１つ以上のノードを含むことができる。例示の目的のために、ノード１０１、１０２、１０３、および、１０４は、それぞれ、ノードＡ、ノードＢ、ノードＣ、および、ノードＤとも呼ばれる。
【００１２】
図２は、さまざまな実施形態にしたがった、到来信号の受信電力レベルを、または、さまざまなノード間のチャネルのチャネル利得を決定するようにと、関数または変数（例えば、受信電力レベルまたはチャネル利得）に基づいて、送出信号の送信電力レベルを調節するように構成されている、例示的なノードのブロックダイヤグラムである。例示の目的のために、“ノード”という用語は、ワイヤレス通信デバイス２００のことを指す。ワイヤレス通信デバイス２００は、ライセンスされているスペクトルおよび／またはライセンスされていないスペクトルにおいて、あるいは、ライセンスされているスペクトルおよび／またはライセンスされていないスペクトルを使用して、信号およびデータを送受信するように構成されている。ワイヤレス通信デバイス２００は、プロセッサ２０５と、メモリ２１０と、ディスプレイ２１５と、キーボード２２０と、ワイヤレス送信機２２５と、ワイヤレス受信機２３０と、第１のアンテナ２３５と、第２のアンテナ２４０と、電源２４５（例えば、バッテリー）とを含む。チップ、コンポーネント、または、モジュールが、プリント回路基板２５０上に取り付けられていてもよく、または、プリント回路基板２５０上に形成されていてもよい。プリント回路基板２５０は、何らかの誘導体基板や、セラミック基板や、あるいは、ワイヤレス通信デバイス２００内の信号搬送回路および電子コンポーネントのための他の回路搬送構造のことを指すことができる。
【００１３】
プロセッサ２０５は、ハードウェア、ソフトウェア、ファームウェア、ミドルウェア、マイクロコード、または、これらの何らかの組み合わせを使用して、実現されてもよい。プロセッサ２０５は、Ａｄｖａｎｃｅｄ ＲｉＳＣ Ｍａｃｈｉｎｅ（ＡＲＭ（登録商標））、制御装置、デジタル信号プロセッサ（ＤＳＰ）、マイクロプロセッサ、エンコーダ、デコーダ、回路、プロセッサチップ、または、データを処理することが可能な他の何らかのデバイス、ならびに、これらの組み合わせであってもよい。“回路”という用語は、プロセッサ回路と、メモリ回路と、ＲＦトランシーバ回路と、電力回路と、ビデオ回路と、オーディオ回路と、キーボード回路と、ディスプレイ回路とを含んでもよい。
【００１４】
メモリ２１０は、さまざまなルーチンおよびデータを含んでもよく、あるいは、記憶してもよい。“メモリ”および“機械読取可能媒体”という用語は、これらに限定されないが、ランダムアクセスメモリ（ＲＡＭ）と、フラッシュメモリと、リードオンリーメモリ（ＲＯＭ）と、ＥＰＲＯＭと、ＥＥＰＲＯＭと、レジスタと、ハードディスクと、リムーバブルディスクと、ＣＤ−ＲＯＭと、ＤＶＤと、ワイヤレスチャネルと、命令および／またはデータを記憶し、含み、または、搬送することが可能な他のさまざまな媒体とを含む。機械読取可能命令は、メモリ２１０中に記憶されてもよく、本開示で説明するようなさまざまな機能をプロセッサ２０５に実行させるように、プロセッサ２０５により実行されてもよい。ディスプレイ２１５は、ＬＣＤ、ＬＥＤ、または、プラズマディスプレイのスクリーンであってもよく、キーボード２２０は、文字および数字を有する標準的なキーボード（例えば、ＱＷＥＲＴＹ配置）であってもよい。
【００１５】
ワイヤレス送信機２２５は、プロセッサ２０５に結合されており、第１のアンテナ２３５および／または第２のアンテナ２４０を介する送信のためにデータをエンコードおよびフォーマットするために使用される。ワイヤレス送信機２２５は、チャネルを通しての送信のために第１のアンテナ２３５ならびに／あるいは第２のアンテナ２４０に送られる前に、プロセッサ２０５から受け取ったデータおよび／または信号の送信電力を調節する（すなわち、電力スケーリングする）のに使用される、チップ、回路、および／または、ソフトウェアを含む。ワイヤレス送信機２２５は、第１のアンテナ２３５、第２のアンテナ２４０、および／または、プロセッサ２０５を介して、他のチャネルまたはノードから受信した情報（例えば、チャネル利得）を使用して、データおよび／または信号の送信電力を調節あるいはスケーリングする方法を決定してもよい。
【００１６】
ワイヤレス受信機２３０は、プロセッサ２０５に結合されており、第１のアンテナ２３５および／または第２のアンテナ２４０から受け取った後に、データをデコードおよび構文解析するために使用される。ワイヤレス受信機２３０は、第１のアンテナ２３５ならびに／あるいは第２のアンテナ２４０を介して、他のチャネルまたはノードから、情報（例えば、チャネル利得、電力レベル、信号等）を受信するのに使用される、チップ、回路、および／または、ソフトウェアを含む。情報は、計算のためにプロセッサ２０５に送られ、第１のアンテナ２３５および／または第２のアンテナ２４０を介して別のノードに送信されることになるデータならびに／あるいは信号の送信電力を調節する方法を決定するために、プロセッサ２０５により使用される。
【００１７】
第１のアンテナ２３５は、ワイヤレス通信デバイス２００の右下部分に位置付けられていてもよく、第２のアンテナ２４０は、ワイヤレス通信デバイス２００の右上部分に位置付けられていてもよい。第１のアンテナ２３５は、セルラアンテナ、ＧＳＭ（登録商標）アンテナ、ＣＤＭＡアンテナ、ＷＣＤＭＡアンテナ、または、ライセンスされているスペクトルを使用して動作可能な他の何らかのアンテナであってもよい。第２のアンテナ２４０は、ＷｉＦｉアンテナ、ＧＰＳアンテナ、または、ライセンスされていないスペクトルを使用して動作可能な他の何らかのアンテナであってもよい。電源２４５は、図２で示されているコンポーネントまたはモジュールに電力を供給する。例示の目的のために、図１で示されている各ノードＡ、Ｂ、Ｃ、および、Ｄは、図２で示されているようなワイヤレス通信デバイス２００である。
【００１８】
図３および図４は、さまざまな実施形態にしたがった、ライセンスされていないスペクトルにおいて動作するノードを持つネットワーク１００のシステムスループットを増加させる方法３００および４００を、それぞれ図示したフローダイヤグラムである。図１〜図４を参照すると、方法３００は、ノードＡ（例えば、第１のワイヤレス通信デバイス）の観点からのものであり、方法４００は、ノードＢ（例えば、第２のワイヤレス通信デバイス）の観点からのものである。この実施形態では、ノードＡが、ノードＡとノードＢとの間のチャネル利得（ｈAB）の予備知識を有していると仮定する。例えば、チャネル利得は、ノードＢからノードＡに送信された事前信号から決定されてもよい。ノードＡは、そのメモリ２１０中にチャネル利得を記憶してもよい。ノードＡが、そのＲＴＳ信号１１１を送信する前に、チャネル利得についての情報を有している場合に、ノードＡは、ノードＡとノードＢとの間のチャネル利得に基づいて、そのＲＴＳ信号１１１の送信電力レベルを以下のように設定できる。  
【数１】
2013520879.tif 000003
【００１９】
ノードＡによる送信の前に、ノードＡのプロセッサ２０５および／またはワイヤレス送信機２２５は、ノードＡとノードＢとの間のチャネル利得（ｈAB）に基づくように、ＲＴＳ信号１１１の送信データ電力レベルを調節または設定する（ブロック３０５）。チャネル利得（ｈAB）は、ノードＡとノードＢとの間の距離（ｄ）に反比例する。すなわち、以下のようである。  
【数２】
2013520879.tif 000004
【００２０】
ここで、αは、自由空間では、おおよそ２．０であり、何らかの反射が存在するエリアでは、おおよそ３．５である。したがって、距離がより大きくなると、チャネル利得はより小さくなる。１つの実施形態では、チャネル利得の推定は、サービスセット識別子（ＳＳＩＤ）ブロードキャストのようなインバンド信号から取得できるか、または、それを通してノードがピア発見を実行できるアウトバンドチャネルから取得できる。ノードＡのプロセッサ２０５および／またはワイヤレス送信機２２５は、ＲＴＳ信号１１１の送信データ電力レベルを調節または設定する前に、チャネル利得の推定を受信してもよい。１つの実施形態では、送信データ電力レベルは、以下の数式に反比例するか、または、ノードＡとノードＢとの間のチャネル利得に応じて単調に減少する。  
【数３】
2013520879.tif 000005
【００２１】
チャネルのより効率的な使用またはより効率的な時間共有が可能になるように（すなわち、チャネル上での信号および／またはデータの同時送信を促進するように）、ＲＴＳ信号１１１の送信データ電力レベルを変化させてもよい。同様に、チャネルのより効率的な使用またはより効率的な時間共有が可能になるように、ＣＴＳ信号１１２の送信電力レベルを変化させてもよい。
【００２２】
ノードＡは、ＲＴＳ信号１１１を生成させて、または、そのメモリからＲＴＳ信号１１１を取り出して、ワイヤレス送信機２２５および第２のアンテナ２４０を使用して、ＲＴＳ信号１１１をノードＢに送信する。ＲＴＳ信号１１１は、データエンコーディングレートを示すレートオプションを含んでもよい。ＲＴＳ信号１１１は、（上述した）ノードＡとノードＢとの間のチャネル利得に基づく送信データ電力レベルを有してもよい。ノードＢは、第１の受信ＲＴＳ電力レベルを有するようなＲＴＳ信号１１１を受信する（ブロック４０５）。ＲＴＳ信号１１１を受信した後に、ノードＢは、第１の受信ＲＴＳ電力レベルの関数である第１の送信ＣＴＳ電力レベルを有する、ＣＴＳ信号１１２を送信する（ブロック４１０）。ＣＴＳ信号１１２は、レートオプションを含んでもよい。関数は、第１の送信ＣＴＳ電力レベルが、第１の受信ＲＴＳ電力レベルに反比例するものとすることができる。
【数４】
2013520879.tif 000006
【００２３】
第１の送信ＣＴＳ電力レベルは、第１の受信ＲＴＳ電力レベルに応じて単調に減少するか、または、レートオプションに応じて単調に増加する。ＲＴＳ信号１１１および／またはＣＴＳ信号１１２は、各々、パケット持続期間を含んでもよい。
【００２４】
ノードＡは、第２のアンテナ２４０およびワイヤレス受信機２３０を使用して、ノードＢからＣＴＳ信号１１２を受信する（ブロック３１０）。ノードＡは、プロセッサ２０５および／またはワイヤレス送信機２２５を使用して、データに対する送信データ電力レベルを調節または設定して、第２のアンテナ２４０を介してノードＢにデータを送信する（ブロック３１５）。１つの実施形態では、（上述した）ノードＡとノードＢとの間のチャネル利得（ｈAB）に基づく送信データ電力レベルにおいて、データが送信される。送信データ電力はまた、レートオプションに基づいてもよい。
【００２５】
図５および図６は、さまざまな実施形態にしたがった、ライセンスされていないスペクトルにおいて動作するノードを持つネットワーク１００のシステムスループットを増加させる方法５００および６００を、それぞれ図示したフローダイヤグラムである。方法５００は、ノードＣの観点からのものであり、方法５００は、ノードＤの観点からのものである。
【００２６】
図１、図２、図５、および、図６を参照すると、ノードＡは、ノードＢにＲＴＳ信号１１１を送信することを望み、ノードＤは、おおよそ同じ時間に、ノードＣにＲＴＳ信号１１８を送信することを望む。ＲＴＳ信号１１８は、エンコーディングレートを示すレートオプションも含んでもよい。ノードＡは、ノードＢにＲＴＳ信号１１１を送信し、ここで、ＲＴＳ信号１１１が固定電力Ｐfを有している。ノードＢは、（固定電力Ｐfの関数である）第１の受信ＲＴＳ電力レベルにおいて、ＲＴＳ信号１１１を受信して、ノードＡにＣＴＳ信号１１２を送信し、ここで、ＣＴＳ信号１１２は、第１の受信ＲＴＳ電力レベルの関数である第１の送信ＣＴＳ電力レベルを有している（例えば、電力ＰB＝１／（ノードＡのＲＴＳ信号の受信電力レベル）、すなわち、以下のようである）（ブロック４０５および４１０）。
【数５】
2013520879.tif 000007
【００２７】
関数は、第１の受信ＲＴＳ電力レベルに反比例するか、または、第１の受信ＲＴＳ電力レベルに応じて単調に減少する。関数はまた、レートオプションに応じて単調に増加してもよい。
【００２８】
ノードＣは、第２の受信ＲＴＳ電力レベルを有するＲＴＳ信号１１１を（ノードＡから）受信または感知してもよく、第３の受信ＲＴＳ電力レベルを有するＲＴＳ信号１１８を（ノードＤから）受信または感知してもよい（ブロック５０５および５１０）。ノードＣは、第２のアンテナ２４０およびワイヤレス受信機２３０を使用して、ＲＴＳ信号１１８を受信または感知する。ノードＡからのＲＴＳ信号１１１とノードＤからのＲＴＳ信号１１８とを、ノードＣが感知した場合に、ノードＣは、バックオフして、そのＣＴＳ信号１１７をノードＤに送らない傾向がある。しかしながら、送信信号（例えば、ＲＴＳ信号１１１および／またはＲＴＳ信号１１８）の減少した送信電力に起因して、ノードＣは、第２のＣＴＳ信号１１７をノードＤに送信できることがある。第２の受信ＲＴＳ電力レベルと第３の受信ＲＴＳ電力レベルの予め定められた関数に基づいて、ノードＤに第２のＣＴＳ信号１１７を送信するか否かを、ノードＣは決定する（ブロック５１５）。例として、第３の受信ＲＴＳ電力レベルが、第２の受信ＲＴＳ電力レベルよりも大きい場合に、ノードＣは、ノードＤに第２のＣＴＳ信号１１７を送信するだろう。このことが示しているのは、ノードＤからのＲＴＳ信号１１８が、ノードＡからのＲＴＳ信号１１１よりも強いということである。別の例として、第２の受信ＲＴＳ電力レベルと第３の受信ＲＴＳ電力レベルとの比が、予め定められたしきい値（例えば、０．１０、０．２５、０．５、０．７５、１、２、５、１０）よりも大きいか、または、小さい場合に、ノードＣは、ノードＤに第２のＣＴＳ信号１１７を送信するだろう。１つのさらなる例では、ＣＴＳ電力レベルと送信データ電力との積が、レートオプションにより決定されるしきい値を下回る場合に、ノードＣは、ノードＤに第２のＣＴＳ信号１１７を送信するだろう。プロセッサ２０５を使用して、ノードＣは、ワイヤレス送信機２２５と第２のアンテナ２４０とを使用して、ノードＤに第２のＣＴＳ信号１１７を送信する。ノードＡからのＲＴＳ信号１１１をノードＣが聞いたとしても、このＲＴＳ信号１１１は非常に弱いので、ノードＣがノードＤにＣＴＳ信号１１７を送信しても構わない。
【００２９】
ノードＤは、ノードＣにデータを送信しても構わないほど、ノードＢからの第１のＣＴＳ信号１１２が十分に弱いか否かに関して、ノードＣと同様の決定を行う。ノードＤは、第２の受信ＣＴＳ電力レベルを有する第１のＣＴＳ信号１１２をノードＢから受信する（ブロック６０５）。ノードＤは、ノードＣから第２のＣＴＳ信号１１７も受信する（ブロック６１０）。ノードＤは、第２の受信ＣＴＳ電力レベルの予め定められた関数に基づいて、ノードＣにデータ信号を送信するか否かを決定する（ブロック６１５）。予め定められた関数は、第２の受信ＣＴＳ電力レベルと第２の送信データ電力レベルの積と、予め定められたしきい値（例えば、０．１０、０．２５、０．５、０．７５、１、２、５、１０）とを比較する。ノードＣに送信するための、ノードＤの第２のＲＴＳ信号１１８またはデータ信号を調節あるいは設定するために、ノードＤによって第２の送信データ電力レベルが使用される。第２の送信データ電力レベルは、ノードＣとノードＤとの間のチャネル利得に反比例するか、または、ノードＣとノードＤとの間のチャネル利得に応じて単調に減少する。チャネル利得は、ノードＣからノードＤに送信される事前信号から決定されてもよい。
【００３０】
ある状況では、ノードＡとノードＢは、それらのそれぞれのＲＴＳ信号およびＣＴＳ信号に対する減少した送信電力レベルを有するだろう。それらのそれぞれのＲＴＳ信号およびＣＴＳ信号に対する減少した送信電力レベルにより、他のノード（例えば、ノードＣおよびノードＤ）が、チャネルの効率的な再使用、または、チャネルの同時再使用を有することができるようになるだろう。すなわち、ノードＣとノードＤは、送信信号の電力スケーリングに起因して、ノードＡおよびノードＢによる同じチャネル上での送信と干渉することなく、送信できる。ネットワーク１００中のすべてのノードは、それらの送信信号に対するそれらの送信データ電力レベルを調節または設定して、ネットワーク中で、電力スケーリングを達成し、チャネルの効率的な再使用を可能にできる。
【００３１】
図７は、さまざまな実施形態にしたがった、ライセンスされていないスペクトルにおいて動作するノードによりシステムスループットおよびスペクトル再使用を増加させるための、装置に対する例示的なコンポーネントと、装置に対する手段とを図示したブロックダイヤグラムである。装置７００は、第１の移動体デバイス１０１と第２の移動体デバイス１０２との間のチャネル利得に基づく第１の送信データ電力レベルを有する第１のＲＴＳ信号１１１を、第１の移動体デバイス１０１から第２の移動体デバイス１０２に送信するモジュール７０５と、第２の移動体デバイス１０２からのＣＴＳ信号１１２を第１の移動体デバイス１０１において受信するモジュール７１０と、第１の送信データ電力レベルにおいて、第１の移動体デバイス１０１から第２の移動体デバイス１０２にデータを送信するモジュール７１５とを備えてもよい。
【００３２】
図８は、さまざまな実施形態にしたがった、ライセンスされていないスペクトルにおいて動作するノードによりシステムスループットおよびスペクトル再使用を増加させるための、装置に対する例示的なコンポーネントと、装置に対する手段とを図示したブロックダイヤグラムである。装置８００は、第２の移動体デバイス１０２において、第１の受信ＲＴＳ電力レベルを有する第１のＲＴＳ信号１１１を受信するモジュール８０５と、第１の受信ＲＴＳ電力レベルの関数である第１の送信ＣＴＳ電力レベルを有する第１のＣＴＳ信号を、第２の移動体デバイス１０２から送信するモジュール８１０とを備えてもよい。
【００３３】
図９は、さまざまな実施形態にしたがった、ライセンスされていないスペクトルにおいて動作するノードによりシステムスループットおよびスペクトル再使用を増加させるための、装置に対する例示的なコンポーネントと、装置に対する手段とを図示したブロックダイヤグラムである。装置９００は、第２の受信ＲＴＳ電力レベルを有する、第１の移動体デバイス１０１からの第１のＲＴＳ信号を受信するモジュール９０５と、第３の受信ＲＴＳ電力レベルを有する、第４の移動体デバイス１０４からの第２のＲＴＳ１１８を、第３の移動体デバイス１０３において受信するモジュール９１０と、第２の受信ＲＴＳ電力レベルと、第３の受信電力レベルの予め定められた関数に基づいて、第４の移動体デバイス１０４に第２のＣＴＳ信号を送信するか否かを決定するモジュール９１５と備えてもよい。
【００３４】
図１０は、さまざまな実施形態にしたがった、ライセンスされていないスペクトルにおいて動作するノードによりシステムスループットおよびスペクトル再使用を増加させるための、装置に対する例示的なコンポーネントと、装置に対する手段とを図示したブロックダイヤグラムである。装置１０００は、第２の受信ＣＴＳ電力レベルを有する、第２の移動体デバイス１０２からの第１のＣＴＳ信号１１２を、第４の移動体デバイス１０４において受信するモジュール１００５と、第３の移動体デバイス１０３から第２のＣＴＳ信号１１７を受信するモジュール１０１０と、第２の受信ＣＴＳ電力レベルの予め定められた関数に基づいて、データ信号を送信するか否かを決定するモジュール１０１５とを備えてもよい。
【００３５】
ここで開示した実施形態に関連して説明した、さまざまな例示的な論理ブロック、モジュール、回路、および、アルゴリズムを、電子ハードウェア、コンピュータソフトウェア、または、双方を組み合わせたものとして実現してもよいことを、当業者は正しく認識するであろう。ハードウェアおよびソフトウェアのこの交換可能性を示すために、さまざまな例示的なコンポーネント、ブロック、モジュール、回路、および、アルゴリズムを、一般的に、これらの機能性に関して上述した。このような機能性がハードウェアまたはソフトウェアとして実現されるか否かは、特定の応用、および、システム全体に課せられた設計の制約に依存する。当業者は、それぞれの特定の応用に対して方法を変化させて、説明した機能性を実現してもよいが、このようなインプリメンテーション決定は、本開示の範囲からの逸脱を生じさせるものとして解釈すべきではない。
【００３６】
ここで開示した実施形態に関連して説明した、さまざまな例示的な論理ブロック、モジュール、および、回路は、汎用処理デバイス、デジタル信号処理デバイス（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、あるいは、ここで説明した機能を実行するように設計されているこれらの任意の組み合わせで、実現または実行されてもよい。汎用処理デバイスは、マイクロ処理デバイスであってもよいが、代替的に、処理デバイスは、何らかの従来の処理デバイス、処理デバイス、マイクロ処理デバイス、または、状態機械であってもよい。処理デバイスはまた、コンピューティングデバイスの組み合わせとして、例えば、ＤＳＰとマイクロ処理デバイスとの組み合わせ、複数のマイクロ処理デバイス、ＤＳＰコアを伴った１つ以上のマイクロ処理デバイス、あるいは、このようなコンフィギュレーションの他の何らかのものとして実現されてもよい。
【００３７】
ここで開示した実施形態に関連して説明した装置、方法、または、アルゴリズムは、直接、ハードウェアで、ソフトウェアで、あるいは、これらの組み合わせで具現化されてもよい。ソフトウェアでは、方法またはアルゴリズムは、処理デバイスにより実行できる１つ以上の命令で具現化されてもよい。命令は、ＲＡＭメモリ、フラッシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、あるいは、技術的に知られている他の何らかの形態の記憶媒体に存在していてもよい。例示的な記憶媒体は、処理デバイスが記憶媒体から情報を読み取り、記憶媒体に情報を書き込むことができるように処理デバイスに結合される。代替実施形態では、記憶媒体は、処理デバイスと一体化されてもよい。処理デバイスおよび記憶媒体は、ＡＳＩＣに存在してもよい。ＡＳＩＣは、ユーザ端末に存在してもよい。代替実施形態では、処理デバイスおよび記憶媒体は、ユーザ端末中のディスクリートコンポーネントとして存在してもよい。
【００３８】
開示した実施形態のこれまでの説明は、当業者が本開示を製作または使用できるように提供した。これらの実施形態に対するさまざま改良は、当業者に容易に明らかとなり、ここに定義された一般的な原理は、本開示の精神または範囲から逸脱することなく、他の実施形態に適用されてもよい。したがって、本開示は、ここに示された実施形態に限定されることを意図しているものではなく、ここで開示した原理および新規の特徴と一致した最も広い範囲に一致させるべきである。
【００３９】
本発明は、その精神またはその本質的特性から逸脱することなく、他の特定の形態で具現化されてもよい。説明した実施形態は、すべての点で、限定ではなく例示として考えられるべきであり、それゆえ、本発明の範囲は、これまでの説明によってではなく、添付の特許請求の範囲によって示される。特許請求の範囲の意味内および特許請求の範囲の均等な範囲内にあるすべての変更は、それらの範囲内に含められるべきである。
【図１】
2013520879.tif 000008
【図２】
2013520879.tif 000009
【図３】
2013520879.tif 000010
【図４】
2013520879.tif 000011
【図５】
2013520879.tif 000012
【図６】
2013520879.tif 000013
【図７】
2013520879.tif 000014
【図８】
2013520879.tif 000015
【図９】
2013520879.tif 000016
【図１０】
2013520879.tif 000017
【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
ライセンスされていないスペクトル中でシステムスループットを増加させる方法において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信することと、
前記第２の移動体デバイスからの第１の送信可（ＣＴＳ）信号を、前記第１の移動体デバイスにおいて受信することと、
前記第１の送信データ電力レベルにおいて、前記第１の移動体デバイスから前記第２の移動体デバイスにデータを送信することとを含み、
前記第１のＲＴＳ信号はレートオプションを含む方法。
【請求項２】
前記第１のＣＴＳ信号は前記レートオプションを含む請求項１記載の方法。
【請求項３】
前記データは、前記レートオプションにより決定されるレートにおいてエンコードされる請求項２記載の方法。
【請求項４】
第２の受信ＣＴＳ電力レベルを有する、前記第２の移動体デバイスからの前記第１のＣＴＳ信号を、第４の移動体デバイスにおいて受信することと、
第３の移動体デバイスからの第２のＣＴＳ信号を、前記第４の移動体デバイスにおいて受信することと、
前記第２の受信ＣＴＳ電力レベルの予め定められた関数に基づいて、データ信号を送信するか否かを、前記第４の移動体デバイスにおいて決定することとをさらに含み、
前記関数は前記レートオプションに依存する請求項１記載の方法。
【請求項５】
前記予め定められた関数は、前記第２の受信ＣＴＳ電力レベルと第２の送信データ電力レベルの積と、前記レートオプションによって決定されるしきい値とを比較する請求項４記載の方法。
【請求項６】
前記データ信号は、前記レートオプションにより決定されるレートにおいてエンコードされる請求項５記載の方法。
【請求項７】
ライセンスされていないスペクトル中でシステムスループットを増加させる方法において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信することと、
前記第２の移動体デバイスからの第１の送信可（ＣＴＳ）信号を、前記第１の移動体デバイスにおいて受信することと、
前記第１の送信データ電力レベルにおいて、前記第１の移動体デバイスから前記第２の移動体デバイスにデータを送信することとを含み、
前記第２の移動体デバイスは、前記第１の受信ＲＴＳ電力レベルを有する前記第１のＲＴＳ信号を受信し、
前記第２の移動体デバイスは、前記第１の受信ＲＴＳ電力レベルの関数である第１の送信ＣＴＳ電力レベルを有する前記第１のＣＴＳ信号を送信し、
前記関数は、前記第１の受信ＲＴＳ電力レベルに反比例することと、前記第１の受信ＲＴＳ電力レベルに応じて単調に減少すること、レートオプションに応じて単調に増加することとからなるグループから選択される方法。
【請求項８】
ライセンスされていないスペクトル中でシステムスループットを増加させる方法において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信することと、
前記第２の移動体デバイスからの第１の送信可（ＣＴＳ）信号を、前記第１の移動体デバイスにおいて受信することと、
前記第１の送信データ電力レベルにおいて、前記第１の移動体デバイスから前記第２の移動体デバイスにデータを送信することと、
第２の受信ＲＴＳ電力レベルを有する、前記第１の移動体デバイスからの前記第１のＲＴＳ信号を、第３の移動体デバイスにおいて受信することと、
第３の受信ＲＴＳ電力レベルを有する、第４の移動体デバイスからの第２のＲＴＳ信号を、前記第３の移動体デバイスにおいて受信することと、
前記第２の受信ＲＴＳ電力レベルと前記第３の受信ＲＴＳ電力レベルの予め定められた関数に基づいて、前記第４の移動体デバイスに第２のＣＴＳ信号を送信するか否かを、前記第３の移動体デバイスにおいて決定することとを含み、
前記第２のＲＴＳ信号は、レートオプションを含み、
前記第２の受信ＲＴＳ電力レベルと、前記第３の受信ＲＴＳ電力レベルの予め定められた関数は、前記レートオプションに依存する方法。
【請求項９】
前記予め定められた関数は、前記第２の受信ＣＴＳ電力レベルと第２の送信データ電力レベルの積と、前記レートオプションにより決定されるしきい値とを比較する請求項８記載の方法。
【請求項１０】
ライセンスされていないスペクトル中でシステムスループットを増加させる装置において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信するようにと、
前記第１の送信データ電力レベルにおいて、前記第１の移動体デバイスから前記第２の移動体デバイスにデータを送信するように適合されている送信機と、
前記第２の移動体デバイスからの第１の送信可（ＣＴＳ）信号を、前記第１の移動体デバイスにおいて受信するように適合されている受信機とを具備し、
前記第１のＲＴＳ信号はレートオプションを含む装置。
【請求項１１】
前記第１のＣＴＳ信号は前記レートオプションを含む請求項１０記載の装置。
【請求項１２】
前記データは、前記レートオプションにより決定されるレートにおいてエンコードされる請求項１１記載の装置。
【請求項１３】
前記受信機は、
第２の受信ＣＴＳ電力レベルを有する、前記第２の移動体デバイスからの前記第１のＣＴＳ信号を、第４の移動体デバイスにおいて受信するようにと、
第３の移動体デバイスからの第２のＣＴＳ信号を、前記第４の移動体デバイスにおいて受信するようにと、
前記第２の受信ＣＴＳ電力レベルの予め定められた関数に基づいて、データ信号を送信するか否かを、前記第４の移動体デバイスにおいて決定するようにさらに適合され、
前記関数は前記レートオプションに依存する請求項１０記載の装置。
【請求項１４】
前記予め定められた関数は、前記第２の受信ＣＴＳ電力レベルと第２の送信データ電力レベルの積と、前記レートオプションにより決定されるしきい値とを比較する請求項１３記載の装置。
【請求項１５】
データ信号は、前記レートオプションにより決定されるレートにおいてエンコードされる請求項１４記載の装置。
【請求項１６】
ライセンスされていないスペクトル中でシステムスループットを増加させる装置において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信するようにと、
前記第１の送信データ電力レベルにおいて、前記第１の移動体デバイスから前記第２の移動体デバイスにデータを送信するように適合されている送信機と、
前記第２の移動体デバイスからの第１の送信可（ＣＴＳ）信号を、前記第１の移動体デバイスにおいて受信するように適合されている受信機とを具備し、
前記第２の移動体デバイスは、前記第１の受信ＲＴＳ電力レベルを有する第１のＲＴＳ信号を受信し、
前記第２の移動体デバイスは、前記第１の受信ＲＴＳ電力レベルの関数である第１の送信ＣＴＳ電力レベルを有する前記第１のＣＴＳ信号を送信し、
前記関数は、前記第１の受信ＲＴＳ電力レベルに反比例することと、前記第１の受信ＲＴＳ電力レベルに応じて単調に減少することと、前記レートオプションに応じて単調に増加することとからなるグループから選択される装置。
【請求項１７】
ライセンスされていないスペクトル中でシステムスループットを増加させる装置において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信するようにと、
前記第１の送信データ電力レベルにおいて、前記第１の移動体デバイスから前記第２の移動体デバイスにデータを送信するように適合されている送信機と、
前記第２の移動体デバイスからの第１の送信可（ＣＴＳ）信号を、前記第１の移動体デバイスにおいて受信するように適合されている第１の受信機と、
第２の受信ＲＴＳ電力レベルを有する、前記第１の移動体デバイスからの前記第１のＲＴＳ信号を、第３の移動体デバイスにおいて受信するようにと、
第３の受信ＲＴＳ電力レベルを有する、第４の移動体デバイスからの第２のＲＴＳ信号を、前記第３の移動体デバイスにおいて受信するように適合されている第２の受信機と、
前記第２の受信ＲＴＳ電力レベルと前記第３の受信ＲＴＳ電力レベルの予め定められた関数に基づいて、前記第４の移動体デバイスに第２のＣＴＳ信号を送信するか否かを、前記第３の移動体デバイスにおいて決定するように適合されているプロセッサとを具備し、
前記第２のＲＴＳ信号は、レートオプションを含み、
前記第２の受信ＲＴＳ電力レベルと、前記第３の受信ＲＴＳ電力レベルの予め定められた関数は、前記レートオプションに依存する装置。
【請求項１８】
前記予め定められた関数は、前記第２の受信ＣＴＳ電力レベルと第２の送信データ電力レベルの積と、前記レートオプションにより決定されるしきい値とを比較する請求項１７記載の装置。
【請求項１９】
ライセンスされていないスペクトル中でシステムスループットを増加させる装置において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信する手段と、
前記第２の移動体デバイスからの第１の送信可（ＣＴＳ）信号を、前記第１の移動体デバイスにおいて受信する手段と、
前記第１の送信データ電力レベルにおいて、前記第１の移動体デバイスから前記第２の移動体デバイスにデータを送信する手段とを具備し、
前記第１のＲＴＳ信号はレートオプションを含む装置。
【請求項２０】
前記第１のＣＴＳ信号は前記レートオプションを含む請求項１９記載の装置。
【請求項２１】
前記データは、前記レートオプションにより決定されるレートにおいてエンコードされる請求項２０記載の装置。
【請求項２２】
第２の受信ＣＴＳ電力レベルを有する、前記第２の移動体デバイスからの前記第１のＣＴＳ信号を、第４の移動体デバイスにおいて受信する手段と、
第３の移動体デバイスからの第２のＣＴＳ信号を、前記第４の移動体デバイスにおいて受信する手段と、
第２の受信ＣＴＳ電力レベルの予め定められた関数に基づいて、データ信号を送信するか否かを、前記第４の移動体デバイスにおいて決定する手段とをさらに具備し、
前記関数は前記レートオプションに依存する請求項１９記載の装置。
【請求項２３】
前記予め定められた関数は、前記第２の受信ＣＴＳ電力レベルと第２の送信データ電力レベルの積と、前記レートオプションにより決定されるしきい値とを比較する請求項２２記載の装置。
【請求項２４】
データ信号は、前記レートオプションにより決定されるレートにおいてエンコードされる請求項２３記載の装置。
【請求項２５】
ライセンスされていないスペクトル中でシステムスループットを増加させる装置において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信する手段と、
前記第２の移動体デバイスからの第１の送信可（ＣＴＳ）信号を、前記第１の移動体デバイスにおいて受信する手段と、
前記第１の送信データ電力レベルにおいて、前記第１の移動体デバイスから前記第２の移動体デバイスにデータを送信する手段とを具備し、
前記第２の移動体デバイスは、前記第１の受信ＲＴＳ電力レベルを有する前記第１のＲＴＳ信号を受信し、
前記第２の移動体デバイスは、前記第１の受信ＲＴＳ電力レベルの関数である第１の送信ＣＴＳ電力レベルを有する前記第１のＣＴＳ信号を送信し、
前記関数は、前記第１の受信ＲＴＳ電力レベルに反比例することと、前記第１の受信ＲＴＳ電力レベルに応じて単調に減少することと、レートオプションに応じて単調に増加することとからなるグループから選択される装置。
【請求項２６】
ライセンスされていないスペクトル中でシステムスループットを増加させる装置において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信する手段と、
前記第２の移動体デバイスからの第１の送信可（ＣＴＳ）信号を、前記第１の移動体デバイスにおいて受信する手段と、
前記第１の送信データ電力レベルにおいて、前記第１の移動体デバイスから前記第２の移動体デバイスにデータを送信する手段と、
第２の受信ＲＴＳ電力レベルを有する、前記第１の移動体デバイスからの前記第１のＲＴＳ信号を、第３の移動体デバイスにおいて受信する手段と、
第３の受信ＲＴＳ電力レベルを有する、第４の移動体デバイスからの第２のＲＴＳ信号を、前記第３の移動体デバイスにおいて受信する手段と、
前記第２の受信ＲＴＳ電力レベルと前記第３の受信ＲＴＳ電力レベルの予め定められた関数に基づいて、前記第４の移動体デバイスに第２のＣＴＳ信号を送信するか否かを、前記第３の移動体デバイスにおいて決定する手段とを具備し、
前記第２のＲＴＳ信号は、レートオプションを含み、
前記第２の受信ＲＴＳ電力レベルと、前記第３の受信ＲＴＳ電力レベルの予め定められた関数は、前記レートオプションに依存する装置。
【請求項２７】
前記予め定められた関数は、前記第２の受信ＣＴＳ電力レベルと第２の送信データ電力レベルの積と、前記レートオプションにより決定されるしきい値とを比較する請求項２６記載の装置。
【請求項２８】
ライセンスされていないスペクトル中でシステムスループットを増加させるための命令を有する有体的媒体上に記録されているコンピュータプログラムにおいて、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信するための命令と、
前記第２の移動体デバイスからの第１の送信可（ＣＴＳ）信号を、前記第１の移動体デバイスにおいて受信するための命令と、
前記第１の送信データ電力レベルにおいて、前記第１の移動体デバイスから前記第２の移動体デバイスにデータを送信するための命令とを含み、
前記第１のＲＴＳ信号はレートオプションを含むコンピュータプログラム。
【手続補正２】
【補正対象書類名】明細書
【補正対象項目名】００３９
【補正方法】変更
【補正の内容】
【００３９】
本発明は、その精神またはその本質的特性から逸脱することなく、他の特定の形態で具現化されてもよい。説明した実施形態は、すべての点で、限定ではなく例示として考えられるべきであり、それゆえ、本発明の範囲は、これまでの説明によってではなく、添付の特許請求の範囲によって示される。特許請求の範囲の意味内および特許請求の範囲の均等な範囲内にあるすべての変更は、それらの範囲内に含められるべきである。  
以下に、本願出願の当初の特許請求の範囲に記載された発明を付記する。
［１］ライセンスされていないスペクトル中でシステムスループットを増加させる方法において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信することと、
前記第２の移動体デバイスからの第１の送信可（ＣＴＳ）信号を、前記第１の移動体デバイスにおいて受信することと、
前記第１の送信データ電力レベルにおいて、前記第１の移動体デバイスから前記第２の移動体デバイスにデータを送信することとを含み、
前記第１のＲＴＳ信号はレートオプションを含む方法。
［２］前記第１のＣＴＳ信号は前記レートオプションを含む上記［１］の方法。
［３］前記データは、前記レートオプションにより決定されるレートにおいてエンコードされる上記［２］の方法。
［４］第２の受信ＣＴＳ電力レベルを有する、前記第２の移動体デバイスからの前記第１のＣＴＳ信号を、第４の移動体デバイスにおいて受信することと、
第３の移動体デバイスからの第２のＣＴＳ信号を、前記第４の移動体デバイスにおいて受信することと、
前記第２の受信ＣＴＳ電力レベルの予め定められた関数に基づいて、データ信号を送信するか否かを、前記第４の移動体デバイスにおいて決定することとをさらに含み、
前記関数は前記レートオプションに依存する上記［１］の方法。
［５］前記予め定められた関数は、前記第２の受信ＣＴＳ電力レベルと第２の送信データ電力レベルの積と、前記レートオプションによって決定されるしきい値とを比較する上記［４］の方法。
［６］前記データ信号は、前記レートオプションにより決定されるレートにおいてエンコードされる上記［５］の方法。
［７］ライセンスされていないスペクトル中でシステムスループットを増加させる方法において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信することと、
前記第２の移動体デバイスからの第１の送信可（ＣＴＳ）信号を、前記第１の移動体デバイスにおいて受信することと、
前記第１の送信データ電力レベルにおいて、前記第１の移動体デバイスから前記第２の移動体デバイスにデータを送信することとを含み、
前記第２の移動体デバイスは、前記第１の受信ＲＴＳ電力レベルを有する前記第１のＲＴＳ信号を受信し、
前記第２の移動体デバイスは、前記第１の受信ＲＴＳ電力レベルの関数である第１の送信ＣＴＳ電力レベルを有する前記第１のＣＴＳ信号を送信し、
前記関数は、前記第１の受信ＲＴＳ電力レベルに反比例することと、前記第１の受信ＲＴＳ電力レベルに応じて単調に減少すること、レートオプションに応じて単調に増加することとからなるグループから選択される方法。
［８］ライセンスされていないスペクトル中でシステムスループットを増加させる方法において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信することと、
前記第２の移動体デバイスからの第１の送信可（ＣＴＳ）信号を、前記第１の移動体デバイスにおいて受信することと、
前記第１の送信データ電力レベルにおいて、前記第１の移動体デバイスから前記第２の移動体デバイスにデータを送信することと、
第２の受信ＲＴＳ電力レベルを有する、前記第１の移動体デバイスからの前記第１のＲＴＳ信号を、第３の移動体デバイスにおいて受信することと、
第３の受信ＲＴＳ電力レベルを有する、第４の移動体デバイスからの第２のＲＴＳ信号を、前記第３の移動体デバイスにおいて受信することと、
前記第２の受信ＲＴＳ電力レベルと前記第３の受信ＲＴＳ電力レベルの予め定められた関数に基づいて、前記第４の移動体デバイスに第２のＣＴＳ信号を送信するか否かを、前記第３の移動体デバイスにおいて決定することとを含み、
前記第２のＲＴＳ信号は、レートオプションを含み、
前記第２の受信ＲＴＳ電力レベルと、前記第３の受信ＲＴＳ電力レベルの予め定められた関数は、前記レートオプションに依存する方法。
［９］前記予め定められた関数は、前記第２の受信ＣＴＳ電力レベルと第２の送信データ電力レベルの積と、前記レートオプションにより決定されるしきい値とを比較する上記［８］の方法。
［１０］ライセンスされていないスペクトル中でシステムスループットを増加させる装置において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信するようにと、
前記第１の送信データ電力レベルにおいて、前記第１の移動体デバイスから前記第２の移動体デバイスにデータを送信するように適合されている送信機と、
前記第２の移動体デバイスからの第１の送信可（ＣＴＳ）信号を、前記第１の移動体デバイスにおいて受信するように適合されている受信機とを具備し、
前記第１のＲＴＳ信号はレートオプションを含む装置。
［１１］前記第１のＣＴＳ信号は前記レートオプションを含む上記［１０］の装置。
［１２］前記データは、前記レートオプションにより決定されるレートにおいてエンコードされる上記［１１］の装置。
［１３］前記受信機は、
第２の受信ＣＴＳ電力レベルを有する、前記第２の移動体デバイスからの前記第１のＣＴＳ信号を、第４の移動体デバイスにおいて受信するようにと、
第３の移動体デバイスからの第２のＣＴＳ信号を、前記第４の移動体デバイスにおいて受信するようにと、
前記第２の受信ＣＴＳ電力レベルの予め定められた関数に基づいて、データ信号を送信するか否かを、前記第４の移動体デバイスにおいて決定するようにさらに適合され、
前記関数は前記レートオプションに依存する上記［１０］の装置。
［１４］前記予め定められた関数は、前記第２の受信ＣＴＳ電力レベルと第２の送信データ電力レベルの積と、前記レートオプションにより決定されるしきい値とを比較する上記［１３］の装置。
［１５］データ信号は、前記レートオプションにより決定されるレートにおいてエンコードされる上記［１４］の装置。
［１６］ライセンスされていないスペクトル中でシステムスループットを増加させる装置において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信するようにと、
前記第１の送信データ電力レベルにおいて、前記第１の移動体デバイスから前記第２の移動体デバイスにデータを送信するように適合されている送信機と、
前記第２の移動体デバイスからの第１の送信可（ＣＴＳ）信号を、前記第１の移動体デバイスにおいて受信するように適合されている受信機とを具備し、
前記第２の移動体デバイスは、前記第１の受信ＲＴＳ電力レベルを有する第１のＲＴＳ信号を受信し、
前記第２の移動体デバイスは、前記第１の受信ＲＴＳ電力レベルの関数である第１の送信ＣＴＳ電力レベルを有する前記第１のＣＴＳ信号を送信し、
前記関数は、前記第１の受信ＲＴＳ電力レベルに反比例することと、前記第１の受信ＲＴＳ電力レベルに応じて単調に減少することと、前記レートオプションに応じて単調に増加することとからなるグループから選択される装置。
［１７］ライセンスされていないスペクトル中でシステムスループットを増加させる装置において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信するようにと、
前記第１の送信データ電力レベルにおいて、前記第１の移動体デバイスから前記第２の移動体デバイスにデータを送信するように適合されている送信機と、
前記第２の移動体デバイスからの第１の送信可（ＣＴＳ）信号を、前記第１の移動体デバイスにおいて受信するように適合されている第１の受信機と、
第２の受信ＲＴＳ電力レベルを有する、前記第１の移動体デバイスからの前記第１のＲＴＳ信号を、第３の移動体デバイスにおいて受信するようにと、
第３の受信ＲＴＳ電力レベルを有する、第４の移動体デバイスからの第２のＲＴＳ信号を、前記第３の移動体デバイスにおいて受信するように適合されている第２の受信機と、
前記第２の受信ＲＴＳ電力レベルと前記第３の受信ＲＴＳ電力レベルの予め定められた関数に基づいて、前記第４の移動体デバイスに第２のＣＴＳ信号を送信するか否かを、前記第３の移動体デバイスにおいて決定するように適合されているプロセッサとを具備し、
前記第２のＲＴＳ信号は、レートオプションを含み、
前記第２の受信ＲＴＳ電力レベルと、前記第３の受信ＲＴＳ電力レベルの予め定められた関数は、前記レートオプションに依存する装置。
［１８］前記予め定められた関数は、前記第２の受信ＣＴＳ電力レベルと第２の送信データ電力レベルの積と、前記レートオプションにより決定されるしきい値とを比較する上記［１７］の装置。
［１９］ライセンスされていないスペクトル中でシステムスループットを増加させる装置において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信する手段と、
前記第２の移動体デバイスからの第１の送信可（ＣＴＳ）信号を、前記第１の移動体デバイスにおいて受信する手段と、
前記第１の送信データ電力レベルにおいて、前記第１の移動体デバイスから前記第２の移動体デバイスにデータを送信する手段とを具備し、
前記第１のＲＴＳ信号はレートオプションを含む装置。
［２０］前記第１のＣＴＳ信号は前記レートオプションを含む上記［１９］の装置。
［２１］前記データは、前記レートオプションにより決定されるレートにおいてエンコードされる上記［２０］の装置。
［２２］第２の受信ＣＴＳ電力レベルを有する、前記第２の移動体デバイスからの前記第１のＣＴＳ信号を、第４の移動体デバイスにおいて受信する手段と、
第３の移動体デバイスからの第２のＣＴＳ信号を、前記第４の移動体デバイスにおいて受信する手段と、
第２の受信ＣＴＳ電力レベルの予め定められた関数に基づいて、データ信号を送信するか否かを、前記第４の移動体デバイスにおいて決定する手段とをさらに具備し、
前記関数は前記レートオプションに依存する上記［１９］の装置。
［２３］前記予め定められた関数は、前記第２の受信ＣＴＳ電力レベルと第２の送信データ電力レベルの積と、前記レートオプションにより決定されるしきい値とを比較する上記［２２］の装置。
［２４］データ信号は、前記レートオプションにより決定されるレートにおいてエンコードされる上記［２３］の装置。
［２５］ライセンスされていないスペクトル中でシステムスループットを増加させる装置において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信する手段と、
前記第２の移動体デバイスからの第１の送信可（ＣＴＳ）信号を、前記第１の移動体デバイスにおいて受信する手段と、
前記第１の送信データ電力レベルにおいて、前記第１の移動体デバイスから前記第２の移動体デバイスにデータを送信する手段とを具備し、
前記第２の移動体デバイスは、前記第１の受信ＲＴＳ電力レベルを有する前記第１のＲＴＳ信号を受信し、
前記第２の移動体デバイスは、前記第１の受信ＲＴＳ電力レベルの関数である第１の送信ＣＴＳ電力レベルを有する前記第１のＣＴＳ信号を送信し、
前記関数は、前記第１の受信ＲＴＳ電力レベルに反比例することと、前記第１の受信ＲＴＳ電力レベルに応じて単調に減少することと、レートオプションに応じて単調に増加することとからなるグループから選択される装置。
［２６］ライセンスされていないスペクトル中でシステムスループットを増加させる装置において、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信する手段と、
前記第２の移動体デバイスからの第１の送信可（ＣＴＳ）信号を、前記第１の移動体デバイスにおいて受信する手段と、
前記第１の送信データ電力レベルにおいて、前記第１の移動体デバイスから前記第２の移動体デバイスにデータを送信する手段と、
第２の受信ＲＴＳ電力レベルを有する、前記第１の移動体デバイスからの前記第１のＲＴＳ信号を、第３の移動体デバイスにおいて受信する手段と、
第３の受信ＲＴＳ電力レベルを有する、第４の移動体デバイスからの第２のＲＴＳ信号を、前記第３の移動体デバイスにおいて受信する手段と、
前記第２の受信ＲＴＳ電力レベルと前記第３の受信ＲＴＳ電力レベルの予め定められた関数に基づいて、前記第４の移動体デバイスに第２のＣＴＳ信号を送信するか否かを、前記第３の移動体デバイスにおいて決定する手段とを具備し、
前記第２のＲＴＳ信号は、レートオプションを含み、
前記第２の受信ＲＴＳ電力レベルと、前記第３の受信ＲＴＳ電力レベルの予め定められた関数は、前記レートオプションに依存する装置。
［２７］前記予め定められた関数は、前記第２の受信ＣＴＳ電力レベルと第２の送信データ電力レベルの積と、前記レートオプションにより決定されるしきい値とを比較する上記［２６］の装置。
［２８］ライセンスされていないスペクトル中でシステムスループットを増加させるための命令を有する有体的媒体上に記録されているコンピュータプログラムにおいて、
第１の移動体デバイスと第２の移動体デバイスとの間のチャネル利得に基づく第１の送信データ電力レベルを有する第１の送信要求（ＲＴＳ）信号を、前記第１の移動体デバイスから前記第２の移動体デバイスに送信するための命令と、
前記第２の移動体デバイスからの第１の送信可（ＣＴＳ）信号を、前記第１の移動体デバイスにおいて受信するための命令と、
前記第１の送信データ電力レベルにおいて、前記第１の移動体デバイスから前記第２の移動体デバイスにデータを送信するための命令とを含み、
前記第１のＲＴＳ信号はレートオプションを含むコンピュータプログラム。
【国際調査報告】
2013520879.tif 000018
2013520879.tif 000019
2013520879.tif 000020
2013520879.tif 000021